【手続補正書】
【提出日】平成18年7月6日(2006.7.6)
【手続補正１】
【補正対象書類名】明細書
【補正対象項目名】特許請求の範囲
【補正方法】変更
【補正の内容】
【特許請求の範囲】
【請求項１】  広告として出力される広告情報の外部からの登録を受け付ける登録受付手段と、
前記登録された広告情報に基づいて当該広告情報を配信するために必要な広告関連情報を生成する関連情報生成手段と、
前記生成された広告関連情報及び当該広告関連情報に対応する前記広告情報のみからなる配信情報、又は前記広告関連情報、当該広告関連情報に対応する前記広告情報及び当該広告情報に対して従属関係にある副情報のみからなる配信情報のいずれか一方を生成する配信情報生成手段と、
前記生成された配信情報を伝送媒体上に出力する出力手段と、
を備える配信モジュールと、
前記出力された配信情報を複数の出力モジュールに配信する前記伝送媒体と、
前記出力された配信情報を前記伝送媒体から取得する取得手段と、
前記取得した配信情報に含まれる前記広告情報を出力する情報出力手段と、
を備える前記出力モジュールと、
により構成されていることを特徴とする広告情報提供システム。
【請求項２】  請求項１に記載の広告情報提供システムにおいて、
前記出力モジュールは、出力が所望される前記広告情報を示す配信要求情報を生成して前記配信モジュールに前記伝送媒体を介して出力する要求生成手段を更に備えると共に、前記配信モジュールにおける前記出力手段は、前記出力された配信要求情報に基づいて、当該配信要求情報により示される前記広告情報を含む前記配信情報を、当該配信要求情報を出力した前記出力モジュールに対して前記伝送媒体を介して出力することを特徴とする広告情報提供システム。
【請求項３】  請求項１又は２に記載の広告情報提供システムにおいて、
前記出力モジュールは、
前記出力される広告情報の序列付けを行うための投票を受け付ける投票受付手段と、
前記受け付けられた投票の内容を示す投票情報を、前記伝送媒体を介して前記配信モジュールに出力する投票出力手段と、
を更に備えると共に、前記配信モジュールは、前記出力された投票情報に基づいて各前記広告情報の序列付けを行い、序列情報を生成する序列手段と、
前記生成された序列情報を各前記出力モジュールに配信する序列配信手段と、
を更に備えることを特徴とする広告情報提供システム。
【請求項４】  請求項３に記載の広告情報提供システムにおいて、
前記序列手段は、前記出力された投票情報又は前記出力モジュールに対して配信された回数の少なくともいずれか一方に基づいて各前記広告情報の序列付けを行い、前記序列情報を生成することを特徴とする広告情報提供システム。
【請求項５】  請求項３又は４に記載の広告情報提供システムにおいて、
前記配信モジュールは、新規に登録が受け付けられた前記広告情報を全て蓄積する新規蓄積手段と、前記序列情報に基づいて、予め設定した順位より上位の序列を有する前記広告情報のみを蓄積する上位蓄積手段と、を備え、前記配信モジュールにおける前記配信情報生成手段は、前記上位蓄積手段及び前記新規蓄積手段の双方に蓄積されている前記広告情報を用いて前記配信情報を生成することを特徴とする広告情報提供システム。
【請求項６】  請求項５に記載の広告情報提供システムにおいて、
前記配信モジュールにおける前記出力手段は、新規に登録が受け付けられた前記広告情報を、前記序列情報により示される当該広告情報の序列に拘わらず当該新規受付から予め設定された期間だけ前記出力モジュールへの配信を可能として出力することを特徴とする広告情報提供システム。
【請求項７】  請求項３から６のいずれか一項に記載の広告情報提供システムにおいて、
前記配信モジュールにおける前記登録受付手段は、前記序列付けを前提として各前記出力モジュールに対する前記広告情報の配信を行う広告主が支払うべき登録料の支払のみを受け付ける登録料受付手段を備えることを特徴とする広告情報提供システム。
【請求項８】  請求項７に記載の広告情報提供システムにおいて、前記配信モジュールにおける前記登録料受付手段は、前記序列付けを前提として各前記出力モジュールに対する前記広告情報の配信を行う広告主が支払うべき登録料の支払に加えて、前記上位蓄積手段に蓄積されなくなった前記広告情報の再度の登録を行う際に支払われるべき再登録料の支払をも受け付けることを特徴とする広告情報提供システム。
【請求項９】  請求項１から８のいずれか一項に記載の広告情報提供システムにおいて、前記広告情報は複数の言語を用いて構成されていることを特徴とする広告情報提供システム。
【請求項１０】  請求項１から９のいずれか一項に記載の広告情報提供システムにおいて、前記配信モジュールは、前記広告情報の対象となっているものを示すカタログ情報を蓄積するカタログ蓄積手段と、
前記出力モジュールから送信されてくるカタログ閲覧要求情報に基づいて、当該カタログ閲覧要求情報により示される前記カタログ情報を、前記カタログ閲覧要求情報を送信した前記出力モジュールに前記伝送媒体を介して出力するカタログ情報出力手段と、
を更に備え、前記出力モジュールは、閲覧が所望される前記カタログ情報を示す前記カタログ閲覧要求情報を生成するカタログ閲覧要求情報生成手段と、
前記生成されたカタログ閲覧要求情報を、前記伝送媒体を介して前記配信モジュールに出力するカタログ閲覧要求情報出力手段と、
前記カタログ情報出力手段により出力されたカタログ情報を出力する出力モジュールカタログ情報出力手段と、
を更に備えることを特徴とする広告情報提供システム。
【請求項１１】  請求項１から１０のいずれか一項に記載の広告情報提供システムに含まれ、
前記登録受付手段と、
前記関連情報生成手段と、
前記配信情報生成手段と、
前記出力手段と、
を少なくとも含むことを特徴とする前記配信モジュール。
【請求項１２】  広告として出力される広告情報を伝送媒体上に出力する配信モジュールと、当該出力された広告情報を前記伝送媒体から取得して出力する出力モジュールと、を含む広告情報提供システムにおける前記配信モジュールに含まれる配信コンピュータを、
前記広告情報の外部からの登録を受け付ける登録受付手段、
前記登録された広告情報に基づいて当該広告情報を配信するために必要な広告関連情報を生成する関連情報生成手段、
前記生成された広告関連情報及び当該広告関連情報に対応する前記広告情報のみからなる配信情報、又は前記広告関連情報、当該広告関連情報に対応する前記広告情報及び当該広告情報に対して従属関係にある副情報のみからなる配信情報のいずれか一方を生成する配信情報生成手段、及び、
前記生成された配信情報を伝送媒体上に出力する出力手段、
として機能させることを特徴とする配信プログラムが前記配信コンピュータで読取可能に記録された情報記録媒体。
【請求項１３】  請求項１２に記載の情報記録媒体において、
前記出力手段として機能する前記配信コンピュータを、前記出力モジュールから出力されると共に当該出力モジュールにおける出力が所望される前記広告情報を示す配信要求情報に基づいて、当該配信要求情報により示される前記広告情報を含む前記配信情報を、当該配信要求情報を出力した前記出力モジュールに対して前記伝送媒体を介して出力するように機能させることを特徴とする前記配信プログラムが前記配信コンピュータで読取可能に記録された情報記録媒体。
【請求項１４】  請求項１２又は１３に記載の情報記録媒体において、
前記配信コンピュータを、
前記出力モジュールから出力されると共に各前記広告情報の序列付けを行うための投票の内容を示す投票情報に基づいて各前記広告情報の序列付けを行い、序列情報を生成する序列手段、及び、
前記生成された序列情報を各前記出力モジュールに配信する序列配信手段、
として更に機能させることを特徴とする前記配信プログラムが前記配信コンピュータで読取可能に記録された情報記録媒体。
【請求項１５】  請求項１４に記載の情報記録媒体において、
前記序列手段として機能する前記配信コンピュータを、前記出力された投票情報又は前記出力モジュールに対して配信された回数の少なくともいずれか一方に基づいて各前記広告情報の序列付けを行い、前記序列情報を生成するように機能させることを特徴とする前記配信プログラムが前記配信コンピュータで読取可能に記録された情報記録媒体。
【請求項１６】  請求項１４又は１５に記載の情報記録媒体において、
前記配信モジュールは、
新規に登録が受け付けられた前記広告情報を全て蓄積する新規蓄積手段と、前記序列情報に基づいて、予め設定した順位より上位の序列を有する前記広告情報のみを蓄積する上位蓄積手段と、を更に備えると共に、
前記配信情報生成手段として機能する前記配信コンピュータを、前記上位蓄積手段及び前記新規蓄積手段の双方に蓄積されている前記広告情報を用いて前記配信情報を生成するように機能させることを特徴とする前記配信プログラムが前記配信コンピュータで読取可能に記録された情報記録媒体。
【請求項１７】  請求項１６に記載の情報記録媒体において、
前記出力手段として機能する前記配信コンピュータを、新規に登録が受け付けられた前記広告情報を、前記序列情報により示される当該広告情報の序列に拘わらず当該新規受付から予め設定された期間だけ前記出力モジュールへの配信を可能として出力するように機能させることを特徴とする前記配信プログラムが前記配信コンピュータで読取可能に記録された情報記録媒体。
【請求項１８】  請求項１４から１７のいずれか一項に記載の情報記録媒体において、
前記登録受付手段として機能する前記配信コンピュータを、前記序列付けを前提として各前記出力モジュールに対する前記広告情報の配信を行う広告主が支払うべき登録料の支払のみを受け付ける登録料受付手段として更に機能させることを特徴とする前記配信プログラムが前記配信コンピュータで読取可能に記録された情報記録媒体。
【請求項１９】  請求項１８に記載の情報記録媒体において、前記登録料受付手段として機能する前記配信コンピュータを、
前記序列付けを前提として各前記出力モジュールに対する前記広告情報の配信を行う広告主が支払うべき登録料の支払に加えて、前記上位蓄積手段に蓄積されなくなった前記広告情報の再度の登録を行う際に支払われるべき再登録料の支払をも受け付けるように機能させることを特徴とする前記配信プログラムが前記配信コンピュータで読取可能に記録された情報記録媒体。
【請求項２０】  請求項１２から１９のいずれか一項に記載の情報記録媒体において、前記広告情報は複数の言語を用いて構成されていることを特徴とする前記配信プログラムが前記配信コンピュータで読取可能に記録された情報記録媒体。
【請求項２１】  請求項１２から２０のいずれか一項に記載の情報記録媒体において、前記配信モジュールは、前記広告情報の対象となっているものを示すカタログ情報を蓄積するカタログ蓄積手段を更に備えると共に、
前記配信コンピュータを、前記出力モジュールから送信されてくると共に閲覧が所望される前記カタログ情報を示すカタログ閲覧要求情報に基づいて、当該カタログ閲覧要求情報により示される前記カタログ情報を、前記カタログ閲覧要求情報を送信した前記出力モジュールに前記伝送媒体を介して出力するカタログ情報出力手段として更に機能させることを特徴とする前記配信プログラムが前記配信コンピュータで読取可能に記録された情報記録媒体。
【請求項２２】  広告として出力される広告情報を伝送媒体上に出力する配信モジュールと、当該出力された広告情報を前記伝送媒体から取得して出力する出力モジュールと、を含む広告情報提供システムにおける前記配信モジュールに含まれる配信コンピュータを、
前記広告情報の外部からの登録を受け付ける登録受付手段、
前記登録された広告情報に基づいて当該広告情報を配信するために必要な広告関連情報を生成する関連情報生成手段、
前記生成された広告関連情報及び当該広告関連情報に対応する前記広告情報のみからなる配信情報、又は前記広告関連情報、当該広告関連情報に対応する前記広告情報及び当該広告情報に対して従属関係にある副情報のみからなる配信情報のいずれか一方を生成する配信情報生成手段、及び、
前記生成された配信情報を伝送媒体上に出力する出力手段、
として機能させることを特徴とする配信プログラム。
【請求項２３】  広告として出力される広告情報を伝送媒体上に出力する配信モジュールと、当該出力された広告情報を前記伝送媒体から取得して出力する出力モジュールと、を含む広告情報提供システムにおける前記配信モジュールにおいて実行される広告情報提供方法であって、
前記広告情報の外部からの登録を受け付ける登録受付工程と、
前記登録された広告情報に基づいて当該広告情報を配信するために必要な広告関連情報を生成する関連情報生成工程と、
前記生成された広告関連情報及び当該広告関連情報に対応する前記広告情報のみからなる配信情報、又は前記広告関連情報、当該広告関連情報に対応する前記広告情報及び当該広告情報に対して従属関係にある副情報のみからなる配信情報のいずれか一方を生成する配信情報生成工程と、
前記生成された配信情報を伝送媒体上に出力する出力工程と、
を備えることを特徴とする広告情報提供方法。
【請求項２４】  請求項２３に記載の広告情報提供方法において、
前記出力工程においては、前記出力モジュールから出力されると共に当該出力モジュールにおける出力が所望される前記広告情報を示す配信要求情報に基づいて、当該配信要求情報により示される前記広告情報を含む前記配信情報を、当該配信要求情報を出力した前記出力モジュールに対して前記伝送媒体を介して出力することを特徴とする広告情報提供方法。
【請求項２５】  請求項２３又は２４に記載の広告情報提供方法において、
前記出力モジュールから出力されると共に各前記広告情報の序列付けを行うための投票の内容を示す投票情報に基づいて各前記広告情報の序列付けを行い、序列情報を生成する序列工程と、
前記生成された序列情報を各前記出力モジュールに配信する序列配信工程と、
を更に備えることを特徴とする広告情報提供方法。
【請求項２６】  請求項２５に記載の広告情報提供方法において、
前記序列工程においては、前記出力された投票情報又は前記出力モジュールに対して配信された回数の少なくともいずれか一方に基づいて各前記広告情報の序列付けを行い、前記序列情報を生成することを特徴とする広告情報提供方法。
【請求項２７】  請求項２５又は２６に記載の広告情報提供方法において、
前記配信モジュールは、
新規に登録が受け付けられた前記広告情報を全て蓄積する新規蓄積手段と、前記序列情報に基づいて、予め設定した順位より上位の序列を有する前記広告情報のみを蓄積する上位蓄積手段と、を更に備えると共に、前記配信情報生成工程においては、前記上位蓄積手段及び前記新規蓄積手段の双方に蓄積されている前記広告情報を用いて前記配信情報を生成することを特徴とする広告情報提供方法。
【請求項２８】  請求項２７に記載の広告情報提供方法において、
前記出力工程においては、新規に登録が受け付けられた前記広告情報を、前記序列情報により示される当該広告情報の序列に拘わらず当該新規受付から予め設定された期間だけ前記出力モジュールへの配信を可能として出力することを特徴とする広告情報提供方法。
【請求項２９】  請求項２５から２８のいずれか一項に記載の広告情報提供方法において、
前記登録受付工程においては、前記序列付けを前提として各前記出力モジュールに対する前記広告情報の配信を行う広告主が支払うべき登録料の支払のみを受け付けることを特徴とする広告情報提供方法。
【請求項３０】  請求項２９に記載の広告情報提供方法において、前記登録受付工程においては、前記序列付けを前提として各前記出力モジュールに対する前記広告情報の配信を行う広告主が支払うべき登録料の支払に加えて、前記上位蓄積手段に蓄積されなくなった前記広告情報の再度の登録を行う際に支払われるべき再登録料の支払をも受け付けることを特徴とする広告情報提供方法。
【請求項３１】  請求項２３から３０のいずれか一項に記載の広告情報提供方法において、前記広告情報は複数の言語を用いて構成されていることを特徴とする広告情報提供方法。
【請求項３２】  請求項２３から３１のいずれか一項に記載の広告情報提供方法において、前記配信モジュールは、前記広告情報の対象となっているものを示すカタログ情報を蓄積するカタログ蓄積手段を更に備えると共に、
前記出力モジュールから送信されてくると共に閲覧が所望される前記カタログ情報を示すカタログ閲覧要求情報に基づいて、当該カタログ閲覧要求情報により示される前記カタログ情報を、前記カタログ閲覧要求情報を送信した前記出力モジュールに前記伝送媒体を介して出力するカタログ情報出力工程を更に備えることを特徴とする広告情報提供方法。
【請求項３３】  需要者端末において広告として提示される広告情報を伝送媒体を介して前記需要者端末に配信する配信モジュールであって、
前記広告情報の外部からの登録を受け付ける登録受付手段と、
前記登録された広告情報に基づいて、前記需要者端末に配信すべき配信情報を生成する配信情報生成手段と、
前記需要者端末から前記伝送媒体を介して閲覧可能であると共に、複数の前記生成された配信情報を前記伝送媒体を介して配信可能に掲示する掲示手段と、
前記需要者端末からの配信要求に基づいて、当該配信要求に対応する前記配信情報を、前記伝送媒体を介して当該配信要求を出力した前記需要者端末に配信する配信手段と、
を備えることを特徴とする配信モジュール。
【請求項３４】  請求項３３に記載の配信モジュールにおいて、
前記掲示手段は、当該掲示されるべき前記配信情報を象徴する代表画像を少なくとも掲示することを特徴とする配信モジュール。
【請求項３５】  需要者端末において広告として提示される広告情報を伝送媒体を介して前記需要者端末に配信する配信モジュールに含まれる配信コンピュータを、
前記広告情報の外部からの登録を受け付ける登録受付手段、
前記登録された広告情報に基づいて、前記需要者端末に配信すべき配信情報を生成する配信情報生成手段、
前記需要者端末から前記伝送媒体を介して閲覧可能であると共に、複数の前記生成された配信情報を前記伝送媒体を介して配信可能に掲示する掲示手段、及び、
前記需要者端末からの配信要求に基づいて、当該配信要求に対応する前記配信情報を、前記伝送媒体を介して当該配信要求を出力した前記需要者端末に配信する配信手段、
として機能させることを特徴とする配信プログラムが前記配信コンピュータで読取可能に記録された情報記録媒体。
【請求項３６】  需要者端末において広告として提示される広告情報を伝送媒体を介して前記需要者端末に配信する配信モジュールに含まれる配信コンピュータを、
前記広告情報の外部からの登録を受け付ける登録受付手段、
前記登録された広告情報に基づいて、前記需要者端末に配信すべき配信情報を生成する配信情報生成手段、
前記需要者端末から前記伝送媒体を介して閲覧可能であると共に、複数の前記生成された配信情報を前記伝送媒体を介して配信可能に掲示する掲示手段、
前記需要者端末からの配信要求に基づいて、当該配信要求に対応する前記配信情報を、前記伝送媒体を介して当該配信要求を出力した前記需要者端末に配信する配信手段、
として機能させることを特徴とする配信プログラム。
【手続補正２】
【補正対象書類名】明細書
【補正対象項目名】０１０７
【補正方法】変更
【補正の内容】
【０１０７】
なお、当該サーバ信号Ｓｄｂとしては、上記広告情報本体のほかに、その広告情報の配信先を示す需要者端末識別情報等の、当該広告情報を配信する際に必要な関連情報も含まれている。
【手続補正３】
【補正対象書類名】明細書
【補正対象項目名】０１５９
【補正方法】変更
【補正の内容】
【０１５９】
すなわち、ステップＳ２０のランキング落ち処理においては、先ず、当該ラインキング外に落ちた広告情報について上記登録継続期間が経過しているか否かを登録受付部１８等において確認し（ステップＳ５０）、その期間が経過していないときは（ステップＳ５０；ＮＯ）広告情報メモリ１２上における蓄積（すなわち、閲覧可能状態）を継続して（ステップＳ５３）上記ステップＳ２４に移行し、一方、登録継続期間が経過してしまっているときは（ステップＳ５０；ＹＥＳ）、広告情報メモリ１２及びランキングメモリ１１における蓄積（登録）を共に抹消し（ステップＳ５１）、上記ランキング落ち通知をその広告情報を登録した広告主サーバＡＤに送信して（ステップＳ５２）上記ステップＳ２４へ移行する。
【手続補正４】
【補正対象書類名】明細書
【補正対象項目名】０１６７
【補正方法】変更
【補正の内容】
【０１６７】
このとき、当該選択用にディスプレイ２２に表示される画面例としては、例えば、上記トップ３０表示ボタンＢ１が初期接続画面ＩＮＴ上において操作された場合には、図１１（ａ）に示すように、ランキングメモリ１１内に蓄積されている各広告情報が、そのランキングの上位から順に閲覧可能に表示・紹介される。
より具体的には、各広告情報毎に、その広告情報の内容を代表する代表画面（いわゆるサムネイル画面）Ｇ１、Ｇ２…と、各広告情報の本体を広告情報サーバＤＢ（ランキングメモリ１１）から取得して閲覧する際に操作される閲覧ボタンＢＲ１、ＢＲ２…と、気に入った広告情報に対して上記した投票を実行する際に、当該投票する広告情報を選択した上で操作される投票ボタンＶＴと、が少なくとも含まれる選択画面ＲＫが表示される。